【手続補正書】
【提出日】平成16年9月2日(2004.9.2)
【手続補正１】
【補正対象書類名】明細書
【補正対象項目名】特許請求の範囲
【補正方法】変更
【補正の内容】
【特許請求の範囲】
【請求項１】
妊婦の生体電気インピーダンスを測定するインピーダンス測定手段と、
妊娠週数における所定値に対する前記測定したインピーダンスの変化と、特定の妊娠週数のインピーダンスからの前記測定したインピーダンスの変化率との内、少なくとも一方から妊婦の健康状況を判定する判定手段とを備えた妊婦用健康管理装置。
【請求項２】
前記判定手段は前記測定したインピーダンスの変化と変化率とのマトリックスを用いて判断することを特徴とする請求項１記載の妊婦用健康管理装置。
【請求項３】
前記判定手段は、前記測定したインピーダンスが所定値より低下したときに判定することを特徴とする請求項１記載の妊婦用管理装置。
【請求項４】
前記判定手段は、前記インピーダンスの変化率が所定値より低下したときに判定することを特徴とする請求項１記載の妊婦用管理装置。
【請求項５】
前記判定手段は、前記測定したインピーダンスが所定値より低下し且つ前記インピーダンスの変化率が所定値より低下したときに判定することを特徴とする請求項１記載の妊婦用管理装置。
【請求項６】
前記判定手段は、非妊時のＢＭＩにより妊婦のインピーダンスの判定の低下量を切り替えることを特徴とする請求項３または請求項５記載の妊婦用健康管理装置。
【請求項７】
前記所定値は、適正範囲、浮腫発現及び妊娠中毒症の傾向を示唆する値であり、前記所定値を記憶しておく記憶手段を更に有することを特徴とする請求項１乃至請求項６記載の妊婦用健康管理装置。
【請求項８】
前記判定手段は、妊婦への健康に関するアドバイスを表示することを特徴とする請求項１乃至請求項７記載の妊婦用健康管理装置。
【請求項９】
前記インピーダンス測定手段は、妊婦の両足間の生体電気インピーダンスを測定することを特徴とする請求項１乃至請求項８記載の妊婦用健康管理装置。
【請求項１０】
身長、体重等の妊婦の個人データを入力する入力手段と、
妊婦の生体電気インピーダンスを測定するインピーダンス測定手段と、
妊婦の体重変化と、妊娠週数における所定値に対する前記測定したインピーダンスの変化との内、少なくとも一方から妊婦の健康状況を判定する判定手段とを備えた妊婦用健康管理装置。
【請求項１１】
前記判定手段は前記体重変化と前記測定したインピーダンスの変化とのマトリックスを用いて判断することを特徴とする請求項１０記載の妊婦用健康管理装置。
【請求項１２】
前記判定手段は、妊婦の体重増加が１週間あたり５００グラムを越えるときに判定することを特徴とする請求項１０載の妊婦用健康管理装置。
【請求項１３】
前記判定手段は、妊婦のインピーダンスが所定値より低下したときに判定することを特徴とする請求項１０記載の妊婦用健康管理装置。
【請求項１４】
前記判定手段は、妊婦の体重増加が１週間あたり５００グラムを越え且つインピーダンスが所定値より低下したときに判定することを特徴とする請求項１０記載の妊婦用健康管理装置。
【請求項１５】
前記判定手段は、非妊時のＢＭＩにより妊婦のインピーダンスの判定の低下量を切り替えることを特徴とする請求項１３または請求項１４記載の妊婦用健康管理装置。
【請求項１６】
前記所定値は、適正範囲、浮腫発現及び妊娠中毒症の傾向を示唆する値であり、前記所定値を記憶しておく記憶手段を更に有することを特徴とする請求項１０乃至請求項１５記載の妊婦用健康管理装置。
【請求項１７】
前記判定手段は、妊婦への健康に関するアドバイスを表示することを特徴とする請求項１０乃至請求項１６記載の妊婦用健康管理装置。
【請求項１８】
前記インピーダンス測定手段は、妊婦の両足間の生体電気インピーダンスを測定することを特徴とする請求項１０乃至請求項１７記載の妊婦用健康管理装置。
【請求項１９】
身長、体重等の妊婦の個人データを入力する入力手段と、
妊婦の生体電気インピーダンスを測定するインピーダンス測定手段と、
特定の妊娠週数のインピーダンスからの前記測定したインピーダンスの変化率を演算する演算手段と、
妊婦の体重変化と前記インピーダンスの変化率との内、少なくとも一方から妊婦の健康状況を判定する判定手段とを備えた妊婦用健康管理装置。
【請求項２０】
前記判定手段は前記体重変化と前記インピーダンスの変化率とのマトリックスを用いて判断することを特徴とする請求項１９記載の妊婦用健康管理装置。
【請求項２１】
前記判定手段は、妊婦の体重増加が１週間あたり５００グラムを越えるときに判定することを特徴とする請求項１９記載の妊婦用健康管理装置。
【請求項２２】
前記判定手段は、妊婦のインピーダンス変化率が所定値より低下したときに判定することを特徴とする請求項１９記載の妊婦用健康管理装置。
【請求項２３】
前記判定手段は、妊婦の体重増加が１週間あたり５００グラムを越え且つインピーダンス変化率が所定値より低下したときに判定することを特徴とする請求項１９記載の妊婦用健康管理装置。
【請求項２４】
前記所定値は、適正範囲、浮腫発現及び妊娠中毒症の傾向を示唆する値であり、前記所定値を記憶しておく記憶手段を更に有することを特徴とする請求項２２または請求項２３記載の妊婦用健康管理装置。
【請求項２５】
前記判定手段は、妊婦への健康に関するアドバイスを表示することを特徴とする請求項１９乃至請求項２４記載の妊婦用健康管理装置。
【請求項２６】
前記インピーダンス測定手段は、妊婦の両足間の生体電気インピーダンスを測定することを特徴とする請求項１９乃至請求項２５記載の妊婦用健康管理装置。
【請求項２７】
身長、血圧等の妊婦の個人データを入力する入力手段と、
妊婦の生体電気インピーダンスを測定するインピーダンス測定手段と、
妊婦の血圧変化と、妊娠週数における所定値に対する前記測定したインピーダンスの変化との内、少なくとも一方から妊婦の健康状況を判定する判定手段とを備えた妊婦用健康管理装置。
【請求項２８】
前記判定手段は、前記血圧変化と前記測定したインピーダンスの変化とのマトリックスを用いて判断することを特徴とする請求項２７記載の妊婦用健康管理装置。
【請求項２９】
前記判定手段は、収縮期血圧が１４０ｍｍＨｇを超えるとき及び拡張期血圧が９０ｍｍＨｇを超えるときの内、少なくとも一方のときに判定することを特徴とする請求項２７記載の妊婦用健康管理装置。
【請求項３０】
前記判定手段は、収縮期血圧が１６０ｍｍＨｇを超えるとき及び拡張期血圧が１１０ｍｍＨｇを超えるときの内、少なくとも一方のときに判定することを特徴とする請求項２７記載の妊婦用健康管理装置。
【請求項３１】
前記判定手段は、収縮期血圧が非妊時より３０ｍｍＨｇを超えて増加したとき及び拡張期血圧が非妊時より１５ｍｍＨｇを超えて増加したときの内、少なくとも一方のときに判定することを特徴とする請求項２７記載の妊婦用健康管理装置。
【請求項３２】
前記判定手段は、前記測定したインピーダンスが所定値より低下したときに判定することを特徴とする請求項２７記載の妊婦用健康管理装置。
【請求項３３】
前記判定手段は、収縮期血圧が１４０ｍｍＨｇを超えるとき及び拡張期血圧が９０ｍｍＨｇを超えるときの内、少なくとも一方のとき、且つ前記インピーダンスの変化率が所定値より低下したときに判定することを特徴とする請求項２７記載の妊婦用健康管理装置。
【請求項３４】
前記判定手段は、非妊時のＢＭＩにより妊婦のインピーダンスの判定の低下量を切り替えることを特徴とする請求項３２または３３記載の妊婦用健康管理装置。
【請求項３５】
前記所定値は、適正範囲、浮腫発現及び妊娠中毒症の傾向を示唆する値であり、前記所定値を記憶しておく記憶手段を更に有することを特徴とする請求項２７乃至請求項３４記載の妊婦用健康管理装置。
【請求項３６】
前記判定手段は、妊婦への健康に関するアドバイスを表示することを特徴とする請求項２７乃至請求項３５記載の妊婦用健康管理装置。
【請求項３７】
前記インピーダンス測定手段は、妊婦の両足間の生体電気インピーダンスを測定することを特徴とする請求項２７乃至請求項３６記載の妊婦用健康管理装置。
【請求項３８】
身長、血圧等の妊婦の個人データを入力する入力手段と、
妊婦の生体電気インピーダンスを測定するインピーダンス測定手段と、
特定の妊娠週数のインピーダンスからの前記測定したインピーダンスの変化率を演算する演算手段と、
妊婦の血圧変化と前記インピーダンスの変化率との内、少なくとも一方から妊婦の健康状況を判定する判定手段とを備えた妊婦用健康管理装置。
【請求項３９】
前記判定手段は前記血圧変化と前記インピーダンスの変化率とのマトリックスを用いて判断することを特徴とする請求項３８記載の妊婦用健康管理装置。
【請求項４０】
前記判定手段は、収縮期血圧が１４０ｍｍＨｇを超えるとき及び拡張期血圧が９０ｍｍＨｇを超えるときの内、少なくとも一方のときに判定することを特徴とする請求項３８記載の妊婦用健康管理装置。
【請求項４１】
前記判定手段は、収縮期血圧が１６０ｍｍＨｇを超えるとき及び拡張期血圧が１１０ｍｍＨｇを超えるときの内、少なくとも一方のときに判定することを特徴とする請求項３８記載の妊婦用健康管理装置。
【請求項４２】
前記判定手段は、収縮期血圧が非妊時より３０ｍｍＨｇを超えて増加したとき及び拡張期血圧が非妊時より１５ｍｍＨｇを超えて増加したときの内、少なくとも一方のときに判定することを特徴とする請求項３８記載の妊婦用健康管理装置。
【請求項４３】
前記判定手段は、前記インピーダンスの変化率が所定値より低下したときに判定することを特徴とする請求項３８記載の妊婦用健康管理装置。
【請求項４４】
前記判定手段は、収縮期血圧が１４０ｍｍＨｇを超えるとき及び拡張期血圧が９０ｍｍＨｇを超えるときの内、少なくとも一方のとき、且つ前記インピーダンスの変化率が所定値より低下したときに判定することを特徴とする請求項３８記載の妊婦用健康管理装置。
【請求項４５】
前記所定値は、適正範囲、浮腫発現及び妊娠中毒症の傾向を示唆する値であり、前記所定値を記憶しておく記憶手段を更に有することを特徴とする請求項４３または請求項４４記載の妊婦用健康管理装置。
【請求項４６】
前記判定手段は、妊婦への健康に関するアドバイスを表示することを特徴とする請求項３８乃至請求項４５記載の妊婦用健康管理装置。
【請求項４７】
前記インピーダンス測定手段は、妊婦の両足間の生体電気インピーダンスを測定することを特徴とする３８乃至請求項４６記載の妊婦用健康管理装置。
【手続補正２】
【補正対象書類名】明細書
【補正対象項目名】０００７
【補正方法】変更
【補正の内容】
【０００７】
【課題を解決するための手段】
本発明の１つの観点によれば、妊婦の生体電気インピーダンスを測定するインピーダンス測定手段と、妊娠週数における所定値に対する前記測定したインピーダンスの変化と、特定の妊娠週数のインピーダンスからの前記測定したインピーダンスの変化率との内、少なくとも一方から妊婦の健康状況を判定する判定手段とを備えた妊婦用健康管理装置が提供される。
【手続補正３】
【補正対象書類名】明細書
【補正対象項目名】０００８
【補正方法】変更
【補正の内容】
【０００８】
本発明の一つの実施の形態によれば、前記判定手段は前記測定したインピーダンスの変化と変化率とのマトリックスを用いて判断することを特徴とする。
【手続補正４】
【補正対象書類名】明細書
【補正対象項目名】０００９
【補正方法】変更
【補正の内容】
【０００９】
本発明の別の観点によれば、身長、体重等の妊婦の個人データを入力する入力手段と、妊婦の生体電気インピーダンスを測定するインピーダンス測定手段と、妊婦の体重変化と、妊娠週数における所定値に対する前記測定したインピーダンスの変化との内、少なくとも一方から妊婦の健康状況を判定する判定手段とを備えた妊婦用健康管理装置が提供される。
【手続補正５】
【補正対象書類名】明細書
【補正対象項目名】００１０
【補正方法】変更
【補正の内容】
【００１０】
本発明のさらに別の観点によれば、身長、体重等の妊婦の個人データを入力する入力手段と、妊婦の生体電気インピーダンスを測定するインピーダンス測定手段と、特定の妊娠週数のインピーダンスからの前記測定したインピーダンスの変化率を演算する演算手段と、妊婦の体重変化と前記インピーダンスの変化率との内、少なくとも一方から妊婦の健康状況を判定する判定手段とを備えた妊婦用健康管理装置が提供される。
【手続補正６】
【補正対象書類名】明細書
【補正対象項目名】００１１
【補正方法】変更
【補正の内容】
【００１１】
本発明の一つの実施の形態によれば、前記判定手段は、妊婦の体重増加が１週間あたり５００グラムを越えるときに判定することを特徴とする。
【手続補正７】
【補正対象書類名】明細書
【補正対象項目名】００１３
【補正方法】変更
【補正の内容】
【００１３】
本発明の一つの実施の形態によれば、前記判定手段は、妊婦の体重増加が１週間あたり５００グラムを越え且つインピーダンスが所定値より低下したときに判定することを特徴とする。
【手続補正８】
【補正対象書類名】明細書
【補正対象項目名】００１９
【補正方法】変更
【補正の内容】
【００１９】
本発明のさらに別の観点によれば、身長、血圧等の妊婦の個人データを入力する入力手段と、妊婦の生体電気インピーダンスを測定するインピーダンス測定手段と、妊婦の血圧変化と、妊娠週数における所定値に対する前記測定したインピーダンスの変化との内、少なくとも一方から妊婦の健康状況を判定する判定手段とを備えた妊婦用健康管理装置が提供される。
【手続補正９】
【補正対象書類名】明細書
【補正対象項目名】００２０
【補正方法】変更
【補正の内容】
【００２０】
本発明のさらに別の観点によれば、身長、血圧等の妊婦の個人データを入力する入力手段と、妊婦の生体電気インピーダンスを測定するインピーダンス測定手段と、特定の妊娠週数のインピーダンスからの前記測定したインピーダンスの変化率を演算する演算手段と、妊婦の血圧変化と前記インピーダンスの変化率との内、少なくとも一方から妊婦の健康状況を判定する判定手段とを備えた妊婦用健康管理装置が提供される。
【手続補正１０】
【補正対象書類名】明細書
【補正対象項目名】００３４
【補正方法】変更
【補正の内容】
【００３４】
そしてステップＳ１６では、ステップＳ８でオンしたキーが何であるかを判断し、この場合には男性のスタンダードであるので、Ｎｏと判断され、ステップＳ１７に進む。ステップＳ１７では、被測定者が電流供給電極５Ａ、６Ａにつま先を、電圧測定電極５Ｂ、６Ｂに踵を接して測定部２に乗ったことを確認して測定を開始する。体重の測定は、体重センサーからの出力を制御部１５に取り込み、ステップＳ１８で演算する。一方、インピーダンスは、定電流回路１６から電極５Ａ、６Ａ間に一定電流を流し、電極５Ｂ、６Ｂ間の電圧を電圧測定回路１７で測定し、電流と電圧の関係からインピーダンスをステップＳ１８で演算する。このステップＳ１７では、測定した日時と、被測定者の風袋量を減算した体重値、測定インピーダンス値をメモリ１８に記憶しておく。
【手続補正１１】
【補正対象書類名】明細書
【補正対象項目名】００３９
【補正方法】変更
【補正の内容】
【００３９】
さらにステップＳ２９では、表示部８に非妊時のＢＭＩを入力してくださいと表示し、ステップＳ３０でテンキー１４より非妊時のＢＭＩの入力がなされるまで、ステップＳ２９とＳ３０を繰り返す。非妊時のＢＭＩが入力されると、ステップＳ３０でＹｅｓと判断され、ステップＳ３０で入力された非妊時のＢＭＩのデータをステップＳ３１でメモリ１８に記憶する。なお、このステップでは非妊時のＢＭＩを直接入力したが、これに代わり非妊時の体重を入力し、ステップＳ１４で入力した身長とからＢＭＩを演算してメモリ１８に記憶しても良い。
【手続補正１２】
【補正対象書類名】明細書
【補正対象項目名】００４０
【補正方法】変更
【補正の内容】
【００４０】
ステップＳ１６でマタニティモードと判断された場合には、ステップＳ１７の処理は通常の場合と同じであるが、ステップＳ１８でのデータ演算において、特定妊娠週数、例えば妊娠２０週に測定したインピーダンスから今回測定したインピーダンスの変化率を演算し、この演算結果と今回測定したインピーダンスとから妊婦の浮腫レベルをマトリックス的に判断し、判定結果に基づくコメントをメモリ１８から呼び出し、ステップＳ１９で図６で示すような表示を表示器８に表示し、印刷部９からプリントアウトする。この表示・印刷のステップＳ１９が終了すると、ステップＳ４に戻り次のデータ入力を待つ。
【手続補正１３】
【補正対象書類名】明細書
【補正対象項目名】００４１
【補正方法】変更
【補正の内容】
【００４１】
上記マタニティの演算において、図７で示すように妊婦のインピーダンスは妊娠初期から妊娠末期に向けて若干減少することが判明し、また非妊娠時の体型がやせ型（ＢＭＩが１８．５未満）、標準型（ＢＭＩが１８．５以上、２５以下）、肥満（ＢＭＩが２５を超える）によってもインピーダンスの値が異なる。図８は、図７の標準型の妊婦を代表例として示したもので、中心のグラフが妊娠週数の変化におけるインピーダンス変化の中心値を示し、上のグラフがインピーダンスの上限値を、下のグラフがインピーダンスの下限値を示し、上限値と下限値の間が適正範囲を示している。この下限値より妊婦の測定インピーダンスが低下すると、妊婦に浮腫が現れる傾向があると判断され、さらにａで示すグラフより低下すると妊娠中毒症の恐れがあると判断される。図８の適正範囲及びａのグラフは、非妊時のＢＭＩ毎にメモリ１８に記憶してある。
【手続補正１４】
【補正対象書類名】明細書
【補正対象項目名】００４２
【補正方法】変更
【補正の内容】
【００４２】
次に特定妊娠週数、例えば妊娠２０週に測定したインピーダンスから今回測定したインピーダンスの変化率は図９に示すようにメモリ１８に記憶してある２０週のインピーダンスの値を基準として、測定したインピーダンスが何％ずれているかを示すもので、ｂで示すラインまでは適正範囲と見做し、それより低下すると浮腫が現れる傾向があると判断され、さらに下のｃのラインに達すると妊娠中毒症の恐れがあると判断される。
【手続補正１５】
【補正対象書類名】明細書
【補正対象項目名】００４５
【補正方法】変更
【補正の内容】
【００４５】
マタニティモードにおいて、ステップＳ１８においては、まず妊婦のインピーダンスの変化を演算する。すなわち第一実施例と同様に図７で示すように妊婦のインピーダンスは妊娠初期から妊娠末期に向けて若干減少することが判明し、また非妊娠時の体型がやせ型（ＢＭＩが１８．５未満）、標準型（ＢＭＩが１８．５以上、２５以下）、肥満（ＢＭＩが２５を超える）によってもインピーダンスの値が異なる。図８は、図７の標準型の妊婦を代表例として示したもので、中心のグラフが妊娠週数の変化におけるインピーダンス変化の中心値を示し、上のグラフがインピーダンスの上限値を、下のグラフがインピーダンスの下限値を示し、上限値と下限値の間が適正範囲を示している。この下限値より妊婦の測定インピーダンスが低下すると、妊婦に浮腫が現れる傾向があると判断され、さらにａで示すグラフより低下すると妊娠中毒症の恐れがあると判断される。図８の適正範囲及びａのグラフは、非妊時のＢＭＩ毎にメモリ１８に記憶してある。
【手続補正１６】
【補正対象書類名】明細書
【補正対象項目名】００４９
【補正方法】変更
【補正の内容】
【００４９】
マタニティモードにおいて、ステップＳ１８においては、まず妊婦のインピーダンスの変化率を演算する。すなわち第一実施例と同様に図９で示すように特定妊娠週数、例えば妊娠２０週に測定したインピーダンスから今回測定したインピーダンスの変化率は図９に示すようにメモリ１８に記憶してある２０週のインピーダンスの値を基準として、測定したインピーダンスが何％ずれているかを示すもので、ｂで示すラインまでは適正範囲と見做し、それより低下すると浮腫が現れる傾向があると判断され、さらに下のｃのラインに達すると妊娠中毒症の恐れがあると判断される。
【手続補正１７】
【補正対象書類名】明細書
【補正対象項目名】００５４
【補正方法】変更
【補正の内容】
【００５４】
マタニティモードにおいて、ステップＳ１８においては、まず妊婦のインピーダンスの変化を演算する。すなわち第一実施例と同様に図７で示すように妊婦のインピーダンスは妊娠初期から妊娠末期に向けて若干減少することが判明し、また非妊娠時の体型がやせ型（ＢＭＩが１８．５未満）、標準型（ＢＭＩが１８．５以上、２５以下）、肥満（ＢＭＩが２５を超える）によってもインピーダンスの値が異なる。図８は、図７の標準型の妊婦を代表例として示したもので、中心のグラフが妊娠週数の変化におけるインピーダンス変化の中心値を示し、上のグラフがインピーダンスの上限値を、下のグラフがインピーダンスの下限値を示し、上限値と下限値の間が適正範囲を示している。この下限値より妊婦の測定インピーダンスが低下すると、妊婦に浮腫が現れる傾向があると判断され、さらにａで示すグラフより低下すると妊娠中毒症の恐れがあると判断される。図８の適正範囲及びａのグラフは、非妊時のＢＭＩ毎にメモリ１８に記憶してある。
【手続補正１８】
【補正対象書類名】明細書
【補正対象項目名】００５６
【補正方法】変更
【補正の内容】
【００５６】
上記インピーダンスの変化及び／または血圧の変化は単独で、またはＨＢＰ、ＬＢＰそれぞれ単独で浮腫及び妊娠中毒症の判断に使用しても良いが、精度を高めるためにメモリ１８に予め記憶してある図１５で示すようにインピーダンスの変化（Ω変化）と血圧の変化をマトリックスに配置し、測定結果がマトリックスのどこにあるかによって浮腫及び妊娠中毒症の判断を行うことがよい。図１５のマトリックスでは浮腫及び妊娠中毒症の判断を適正の０から妊娠中毒症発症の恐れが高い４までの５段階に分けて判断できるようにしており、この各段階に応じて「順調に推移しております」とか「妊娠中毒症発症の恐れが高いので、医師の診察を受けてください」のような妊婦に対するアドバイスをリンクさせておく。このマトリックスの判断及びアドバイスは、メモリ１８に記憶してある。そしてステップＳ１９で図１６で示すような表示を表示器８に表示し、印刷部９からプリントアウトする。この表示・印刷のステップＳ１９が終了すると、ステップＳ４に戻り次のデータ入力を待つ。
【手続補正１９】
【補正対象書類名】明細書
【補正対象項目名】００６１
【補正方法】変更
【補正の内容】
【００６１】
上記インピーダンスの変化率及び／または血圧の変化は単独で、またはＨＢＰ、ＬＢＰそれぞれ単独で浮腫及び妊娠中毒症の判断に使用しても良いが、精度を高めるためにメモリ１８に予め記憶してある図１７で示すようにインピーダンスの変化率と血圧の変化をマトリックスに配置し、測定結果がマトリックスのどこにあるかによって浮腫及び妊娠中毒症の判断を行うことがよい。図１７ではインピーダンスの変化率と血圧の変化をマトリックスに配置し、測定結果がマトリックスのどこにあるかによって浮腫及び妊娠中毒症の判断を行うことがよい。図１７のマトリックスでは浮腫及び妊娠中毒症の判断を適正の０から妊娠中毒症発症の恐れが高い４までの５段階に分けて判断できるようにしており、この各段階に応じて「順調に推移しております」とか「妊娠中毒症発症の恐れが高いので、医師の診察を受けてください」のような妊婦に対するアドバイスをリンクさせておく。このマトリックスの判断及びアドバイスは、メモリ１８に記憶してある。そしてステップＳ１９で図１８で示すような表示を表示器８に表示し、印刷部９からプリントアウトする。この表示・印刷のステップＳ１９が終了すると、ステップＳ４に戻り次のデータ入力を待つ。
【手続補正２０】
【補正対象書類名】明細書
【補正対象項目名】００６７
【補正方法】変更
【補正の内容】
【００６７】
【発明の効果】
本発明は、妊婦の生体電気インピーダンスを測定するインピーダンス測定手段と、妊娠週数における所定値に対する前記測定したインピーダンスの変化と、特定妊娠週数のインピーダンスからの前記測定したインピーダンスの変化率とから妊婦の健康状況を判定する判定手段とを備えた妊婦用健康管理装置であり、客観的、定量的に浮腫や妊娠中毒症等の妊婦の健康管理ができる。
【手続補正２１】
【補正対象書類名】明細書
【補正対象項目名】００６８
【補正方法】変更
【補正の内容】
【００６８】
また本発明は、判定手段が前記測定したインピーダンスの変化と変化率とのマトリックスを用いて判断するので、精度良く浮腫や妊娠中毒症等の判定ができる。
【手続補正２２】
【補正対象書類名】明細書
【補正対象項目名】００６９
【補正方法】変更
【補正の内容】
【００６９】
さらに本発明は、身長、体重等の妊婦の個人データを入力する入力手段と、妊婦の生体電気インピーダンスを測定するインピーダンス測定手段と、妊婦の体重変化と妊娠週数における所定値に対する前記測定したインピーダンスの変化とから妊婦の健康状況を判定する判定手段とを備えた妊婦用健康管理装置であり、客観的、定量的に浮腫や妊娠中毒症等の妊婦の健康管理ができる。
【手続補正２３】
【補正対象書類名】明細書
【補正対象項目名】００７０
【補正方法】変更
【補正の内容】
【００７０】
さらに本発明は、身長、体重等の妊婦の個人データを入力する入力手段と、妊婦の生体電気インピーダンスを測定するインピーダンス測定手段と、特定の妊娠週数のインピーダンスからの前記測定したインピーダンスの変化率を演算する演算手段と、妊婦の体重変化と前記インピーダンスの変化率とから妊婦の健康状況を判定する判定手段とを備えた妊婦用健康管理装置であり、非妊時の体型に関わりなく定量的に浮腫や妊娠中毒症等の妊婦の健康管理ができる。
【手続補正２４】
【補正対象書類名】明細書
【補正対象項目名】００７４
【補正方法】変更
【補正の内容】
【００７４】
さらに本発明は、身長、血圧等の妊婦の個人データを入力する入力手段と、妊婦の生体電気インピーダンスを測定するインピーダンス測定手段と、妊婦の血圧変化と妊娠週数における所定値に対する前記測定したインピーダンスの変化とから妊婦の健康状況を判定する判定手段とを備えた妊婦用健康管理装置であり、定量的に浮腫や妊娠中毒症等の妊婦の健康管理ができる。
【手続補正２５】
【補正対象書類名】明細書
【補正対象項目名】００７５
【補正方法】変更
【補正の内容】
【００７５】
さらに本発明は、身長、血圧等の妊婦の個人データを入力する入力手段と、妊婦の生体電気インピーダンスを測定するインピーダンス測定手段と、特定の妊娠週数のインピーダンスからの前記測定したインピーダンスの変化率を演算する演算手段と、妊婦の血圧変化と前記インピーダンスの変化率とから妊婦の健康状況を判定する判定手段とを備えた妊婦用健康管理装置であり、非妊時の体型に関わりなく定量的に浮腫や妊娠中毒症等の妊婦の健康管理ができる。